(57)【要約】【課題】タンク内の湯温を安定させ、湯切れの発生を防止することができる貯湯式給湯機を提供する。【解決手段】貯湯式給湯機１は、ヒートポンプユニット２によって沸き上げられた湯をタンクに貯え、必要に応じて給湯する貯湯式給湯機であって、第１タンク３１と、第２タンク３２とを備えている。第２タンク３２は、第１タンクよりも内容積が大きい。また、第１タンク３１が、水源側からの水を受け入れる。このため、水源側の水と高温の湯とが混合されることが抑制され、第２タンク３２内の湯温が安定する。【選択図】図１
2008116065.tif 000002
【特許請求の範囲】
【請求項１】
加熱手段（２）によって沸き上げられた湯をタンクに貯え、必要に応じて給湯する貯湯式給湯機であって、
第１タンク（３１，１３１）と、
前記第１タンク（３１，１３１）よりも内容積が大きい第２タンク（３２，１３２）と、
を備え、
前記第１タンク（３１，１３１）および前記第２タンク（３２，１３２）のいずれか一方が、水源側からの水を受け入れる、
貯湯式給湯機（１，１０１）。
【請求項２】
水源側の水が、前記第１タンク（３１）を経由して前記加熱手段（２）に入り、
前記加熱手段（２）で沸き上げられた湯が、前記第２タンク（３２）に入り、
前記第２タンク（３２）の湯全体が所定の温度に沸き上がったときに、前記加熱手段（２）による沸き上げ運転が終了する、
請求項１に記載の貯湯式給湯機（１）。
【請求項３】
前記加熱手段（２）が、冷媒圧縮式冷凍サイクルによるヒートポンプである、
請求項１に記載の貯湯式給湯機（１）。
【請求項４】
水源側の水が、前記第２タンク（１３２）を経由して前記加熱手段（２）に入り、
前記加熱手段（２）で沸き上げられた湯は、前記第１タンク（１３１）に入る、
請求項１に記載の貯湯式給湯機（１０１）。
【請求項５】
前記加熱手段（２）で沸き上げられた湯を前記第１タンク（１３１）および前記第２タンク（１３２）のいずれか一方へ流入させる第１三方弁（８２）をさらに備え、
前記加熱手段（２）で沸き上げられた湯を前記第１タンク（１３１）へ流入させているときに、前記第１タンク（１３１）内が所定温度の湯で満たされた場合、前記第１三方弁（８２）は、前記加熱手段（２）で沸き上げられた湯を前記第２タンク（１３２）へ流入させる、
請求項４に記載の貯湯式給湯機（１０１）。
【請求項６】
給湯時に、前記第１タンク（１３１）および前記第２タンク（１３２）のいずれか一方から湯を取出すために流路を切り替える第２三方弁（８３）をさらに備えた、
請求項５に記載の貯湯式給湯機（１０１）。
【請求項７】
前記第２タンク（３２，１３２）の湯と、外部負荷との間で熱交換を行わせる外部熱交換器をさらに備え、
前記第２タンク（３２，１３２）の湯が、前記外部熱交換器内を経由して再び前記第２タンク（３２，１３２）に戻る、
請求項１に記載の貯湯式給湯機（１，１０１）。
【請求項８】
前記外部熱交換器が、風呂の湯との間で熱交換を行わせる追焚熱交換器（４１，１４１）である、
請求項７に記載の貯湯式給湯機（１，１０１）
【請求項９】
前記第１タンク（１３１）と前記第２タンク（１３２）とを収納する１つのケース（１９０）をさらに備え、
前記ケース（１９０）内の１つのコーナーと前記第２タンク（１３２）とで形成される空間内に、前記第１タンク（１３１）が配置される、
請求項１に記載の貯湯式給湯機（１０１）。
【請求項１０】
前記第１タンク（１３１）と前記第２タンク（１３２）とを収納する１つのケース（１９０）をさらに備え、
前記ケース（１９０）と前記第１タンク（１３１）と前記第２タンク（１３２）とで形成される空間内に各種機器類（１９５）が配置される、
請求項１に記載の貯湯式給湯機（１０１）。
【発明の詳細な説明】
【技術分野】
【０００１】
本発明は、貯湯式給湯機、特に水の加熱手段としてヒートポンプを用いた貯湯式給湯機に関する。
【背景技術】
【０００２】
従来、貯湯式給湯機においては、熱源により沸き上げられた湯および給水された水で常時満タン状態に維持される貯湯タンクが採用されている。水源から貯湯タンクの底部に供給された水は、貯湯タンクとヒートポンプの熱交換器との間を循環することによって加熱される（例えば、特許文献１参照）。
【特許文献１】特開２００５−３４５０９９号公報
【発明の開示】
【発明が解決しようとする課題】
【０００３】
しかしながら、特許文献１に記載した貯湯式給湯機は、貯湯タンク内の湯の沸上げ運転を行っても、熱源の沸き上げ制御課題により貯湯タンクの最下部まで全量を同じ温度で沸上げることができず、給水された水と混ざり、タンク中部より下部には中間温度層が残る。そのため、残った中間温度層の湯と高温層の湯との混合によって、タンク内の給湯可能な熱量が減少する。また、沸上げを行う際、ヒートポンプの水熱交換器に入る水の温度が上昇するため、ヒートポンプの成績係数が低下する。
【０００４】
本発明の課題は、タンク内の湯温を安定させ、湯切れの発生を防止することができる貯湯式給湯機を提供することにある。
【課題を解決するための手段】
【０００５】
第１発明に係る貯湯式給湯機は、加熱手段によって沸き上げられた湯をタンクに貯え、必要に応じて給湯する貯湯式給湯機であって、第１タンクと、第２タンクとを備えている。第２タンクは、第１タンクよりも内容積が大きい。また、第１タンクおよび第２タンクのいずれか一方が、水源側からの水を受け入れる。
【０００６】
この貯湯式給湯機では、水源側の水を受け入れるタンクと、高温の湯を貯えるタンクとが区別して隔てられている。このため、水源側の水と高温の湯とが混合されることが抑制され、少なくとも１つのタンク内の湯温が安定し、中間温度層の生成を抑制する。
【０００７】
第２発明に係る貯湯式給湯機は、第１発明に係る貯湯式給湯機であって、水源側の水が、第１タンクを経由して加熱手段に入る。加熱手段で沸き上げられた湯は、第２タンクに入る。第２タンクの湯全体が所定の温度に沸き上がったときに、加熱手段による沸き上げ運転が終了する。
【０００８】
この貯湯式給湯機では、低温の水が第２タンクへ直接入らないので、第２タンク内の湯温が安定し、中間温度層の生成を抑制する。
【０００９】
第３発明に係る貯湯式給湯機は、第１発明に係る貯湯式給湯機であって、加熱手段が、冷媒圧縮式冷凍サイクルによるヒートポンプである。
【００１０】
この貯湯式給湯機では、ヒートポンプに入る水の温度が、水源側の水とほぼ等しくなる。このため、ヒートポンプに入る水の温度が低く保たれ、沸き上げ運転時の成績係数が向上する。
【００１１】
第４発明に係る貯湯式給湯機は、第１発明に係る貯湯式給湯機であって、水源側の水が、第２タンクを経由して加熱手段に入る。加熱手段で沸き上げられた湯は、第１タンクに入る。
【００１２】
この貯湯式給湯機では、容量の小さい第１タンクは、湯が補充されるとすぐに高温の湯で満たされ、湯切れが防止される。
【００１３】
第５発明に係る貯湯式給湯機は、第４発明に係る貯湯式給湯機であって、加熱手段で沸き上げられた湯を第１タンクおよび第２タンクのいずれか一方へ流入させる第１三方弁をさらに備えている。そして、加熱手段で沸き上げられた湯を第１タンクへ流入させているときに、第１タンク内が所定温度の湯で満たされた場合、第１三方弁は加熱手段で沸き上げられた湯を第２タンクへ流入させる。
【００１４】
この貯湯式給湯機では、第２タンク内に貯えられる湯の量および温度と、第１タンク内に貯えられる湯の量および温度とが個別に調節される。このため、ユーザーの必要とする給湯状況に合わせて各タンク内の貯湯熱量が幅広く調節されるので、使い勝手が良い上に、ランニングコストの低減につながる。
【００１５】
第６発明に係る貯湯式給湯機は、第５発明に係る貯湯式給湯機であって、給湯時に、第１タンクおよび第２タンクのいずれか一方から湯を取出すために流路を切り替える第２三方弁をさらに備えている。
【００１６】
この貯湯式給湯機では、給湯負荷、給湯温度に応じてタンクが選択されるので、効率良く給湯が行われる。
【００１７】
第７発明に係る貯湯式給湯機は、第１発明に係る貯湯式給湯機であって、第２タンクの湯と、外部負荷との間で熱交換を行わせる外部熱交換器をさらに備えている。第２タンクの湯は、外部熱交換器内を経由して再び第２タンクに戻る。
【００１８】
この貯湯式給湯機では、熱容量の大きい第２タンク側が外部負荷との熱交換の熱源となるので、外部負荷との熱交換による第１タンク側への熱的影響がなく、第１タンク内の温度は安定する。
【００１９】
第８発明に係る貯湯式給湯機は、第７発明に係る貯湯式給湯機であって、外部熱交換器が、風呂の湯との間で熱交換を行わせる追焚熱交換器である、
この貯湯式給湯機では、熱容量の大きい第２タンク側が追焚の熱源となるので、追焚による第１タンク側への熱的影響がなく、第１タンク内の温度は安定する。
【００２０】
第９発明に係る貯湯式給湯機は、第１発明に係る貯湯式給湯機であって、第１タンクと第２タンクとを収納する１つのケースをさらに備えている。ケース内の１つのコーナーと第２タンクとで形成される空間内に、第１タンクが配置される。
【００２１】
この貯湯式給湯機では、空間が有効に使用されるので省スペースである。
【００２２】
第１０発明に係る貯湯式給湯機は、第１発明に係る貯湯式給湯機であって、第１タンクと第２タンクとを収納する１つのケースをさらに備えている。ケースと第１タンクと第２タンクとで形成される空間内に各種機器類が配置される。
【００２３】
この貯湯式給湯機では、空間が有効に使用されるので省スペースである。
【発明の効果】
【００２４】
第１発明に係る貯湯式給湯機では、水源側の水を受け入れるタンクと、高温の湯を貯えるタンクとが区別して隔てられているので、水源側の水と高温の湯とが混合されることが抑制され、少なくとも１つのタンク内の湯温が安定する。
【００２５】
第２発明に係る貯湯式給湯機では、低温の水が第２タンクへ直接入らないので、第２タンク内の湯温が安定する。
【００２６】
第３発明に係る貯湯式給湯機では、ヒートポンプに入る水の温度が、水源側の水とほぼ等しくなるので、ヒートポンプに入る水の温度が低く保たれ、沸き上げ運転時の成績係数が向上する。
【００２７】
第４発明に係る貯湯式給湯機では、容量の小さい第１タンクに湯が補充されると、すぐに高温の湯で満たされるので、常に高温の湯が確保され湯切れが防止される。
【００２８】
第５発明に係る貯湯式給湯機では、第２タンク内に貯えられる湯の量および温度と、第１タンク内に貯えられる湯の量および温度とが個別に調節されるので、ユーザーの必要とする給湯状況に合わせて各タンク内の貯湯量が調節される。
【００２９】
第６発明に係る貯湯式給湯機では、給湯負荷、給湯温度に応じてタンクが選択されるので、効率良く給湯が行われる。
【００３０】
第７発明に係る貯湯式給湯機では、熱容量の大きい第２タンク側が外部負荷との熱交換の熱源となるので、外部負荷との熱交換による第１タンク側への熱的影響がなく、第１タンク内の温度は安定する。
【００３１】
第８発明に係る貯湯式給湯機では、熱容量の大きい第２タンク側が追焚の熱源となるので、追焚による第１タンク側への熱的影響がなく、第１タンク内の温度は安定する。
【００３２】
第９発明と第１０発明とに係る貯湯式給湯機では、空間が有効に使用されるので省スペースである。
【発明を実施するための最良の形態】
【００３３】
〔第１実施形態〕
＜貯湯式給湯機の構成＞
本発明の第１実施形態に係る貯湯式給湯機のシステムを図１に示す。貯湯式給湯機１は、ヒートポンプユニット２と貯湯装置３とによって構成されている。
【００３４】
（ヒートポンプユニット）
ヒートポンプユニット２は、圧縮機２１、水熱交換器２２内の冷媒管２２ａ、減圧手段としての膨張弁２３、及び空気熱交換器２４が、冷媒配管２５によって環状に接続される冷媒圧縮式の冷凍回路２０を有する。
【００３５】
さらに、冷凍回路２０には、水熱交換器２２から出る高圧高温の冷媒と、空気熱交換器２４から出る低圧低温の冷媒との間で熱交換を行うため、ガス熱交換器２６が配置されている。具体的には、水熱交換器２２と膨張弁２３とを連結する冷媒通路と、空気熱交換器２４と圧縮機２１とを連結する冷媒通路との間で熱交換が行われる。
【００３６】
（貯湯装置）
貯湯装置３は、水循環回路３０、湯循環回路４０、追焚循環回路５０、給水管６１、給湯管７１および給湯混合弁８１を有している。水循環回路３０は、内容積の小さい第１タンク３１（これ以降、小容量タンク３１とよぶ）と、水循環ポンプ３３と、水熱交換器２２内の水管２２ｂと、内容積の大きい第２タンク３２（これ以降、大容量タンク３２とよぶ）とが、水配管３５によって環状に接続されている。
【００３７】
湯循環回路４０は、大容量タンク３２と、追焚熱交換器４１内の第１湯管４１ａと、第１湯循環ポンプ４２とが、第１湯配管４３によって環状に接続されている。追焚循環回路５０は、追焚熱交換器４１の第２湯管４１ｂと、第２湯循環ポンプ５２と、風呂（図示せず）とが、第２湯配管５３によって環状に接続されている。なお、本実施形態では、小容量タンク３１と大容量タンク３２との容積比が１：９乃至２：８に設定され、総容積は４２０リットルである。但し、容積比、総容積はそれに限定されるものではない。
【００３８】
給水管６１は、水源（図止せず）から出て小容量タンク３１の底部に接続されている。給湯管７１は、大容量タンク３２の頭部から出て給湯混合弁８１に接続されている。給水支管６１ａは、給水管６１の途中から分岐して給湯混合弁８１に接続されている。
【００３９】
（水および湯の循環）
水源の水は、給水管６１を通って小容量タンク３１の底部から内部に供給される。小容量タンク３１内の水は、水循環ポンプ３３によってヒートポンプユニット２へ送られ、水熱交換器２２で加熱される。加熱された水は、大容量タンク３２に送られて湯として貯えられる。大容量タンク３２内の湯は、湯循環回路４０内を循環し、追焚熱交換器４１において追焚循環回路５０を循環する風呂湯との間で熱交換を行う。
【００４０】
なお、本実施形態では、追焚熱交換器４１は風呂の湯との間で熱交換を行う設定であるが、これに限定されるものではなく、例えば、床暖房用の湯など、他の外部負荷との間で熱交換を行うように設定されることもある。
【００４１】
使用者が使う湯は、大容量タンク３２の頭部から給湯管７１を経て給湯混合弁８１に入り、そこで水と混合され適当な温度に調節されて使用者に供給される。
【００４２】
大容量タンク３２内の湯量が減ると小容量タンク３１から水が補充されるが、水源の水が直接供給されるタイプのものに比べて、湯温の低下は少ない。
【００４３】
一方、ヒートポンプユニット２へ送られる水は、小容量タンク３１内の水であり、大容量タンク３２内の湯から隔離されているため水温が安定している。したがって、湯と水源の水とが混合した中間温度層の湯を送るタイプのものに比べて、水熱交換器２２へ入る水の温度は低くなる。その結果、冷媒との熱交換量が増大し、ヒートポンプユニット２の沸上げ運転時の成績係数が向上する。
【００４４】
特に、ＣＯ２冷媒を用いたヒートポンプユニットでは、水熱交換器２２へ入る水の温度が高いときの成績係数の低下率が、Ｒ４１０Ａを用いたヒートポンプユニットに比べて大きいので、水熱交換器２２へ入る水の温度が低く維持されることは、省エネルギーを実現する上で重要である。
【００４５】
Ｒ４１０Ａの場合は、水熱交換器２２内で冷媒が凝縮するので冷媒の温度分布はほぼ均一となり水熱交換器２２全域でほぼ均等に熱交換される。このため、水熱交換器２２へ入る水の温度が高いときでも成績係数の低下率は比較的小さい。
【００４６】
一方、ＣＯ２冷媒の場合は、高圧側で冷媒が超臨界状態となるため冷媒は凝縮せず、水熱交換器２２の冷媒入口側から冷媒出口側に近づくほど冷媒温度は低く、水熱交換器２２へ入る水の温度が高いときは冷媒出口側領域での熱交換が不十分となる。それゆえ、水熱交換器２２へ入る水の温度が高いときの成績係数の低下率がＲ４１０Ａを用いたヒートポンプユニットに比べて大きくなるのである。したがって、水熱交換器２２へ入る水の温度が低く維持される本実施形態は、ＣＯ２冷媒を用いたヒートポンプユニットに適している。
【００４７】
＜第１実施形態の特徴＞
（１）
この貯湯式給湯機１では、水源側の水が、小容量タンク３１を経由してヒートポンプユニット２に入り、そこで沸き上げられた湯が大容量タンク３２に入る。大容量タンク３２の湯全体が所定の温度に沸き上がったときに、ヒートポンプユニット２による沸き上げ運転が終了する。この貯湯式給湯機１では、低温の水が第２タンクへ直接入らないので、第２タンク内の湯温が安定する。
【００４８】
（２）
この貯湯式給湯機１では、ヒートポンプユニット２の水熱交換器２２に入る水の温度が低く保たれ、沸き上げ運転時の成績係数が向上する。
【００４９】
〔第２実施形態〕
＜貯湯式給湯機の構成＞
本発明の第２実施形態に係る貯湯式給湯機のシステムを図２に示す。貯湯式給湯機１０１は、ヒートポンプユニット２と貯湯装置１０３とによって構成されている。ヒートポンプユニット２については、第１実施形態と同じであるので説明は省略し、貯湯装置１０３について図２を用いて説明する。
【００５０】
（貯湯装置）
貯湯装置１０３は、水循環回路１３０、湯循環回路１４０、追焚循環回路１５０、給水管１６１、給湯管１７１および給湯混合弁８１を有している。水循環回路１３０は、内容積の大きい第２タンク１３２（これ以降、大容量タンク１３２とよぶ）と、水循環ポンプ１３３と、水熱交換器２２内の水管２２ｂと、内容積の小さい第１タンク１３１（これ以降、小容量タンク１３１とよぶ）とが、水配管１３５によって環状に接続されている。なお、水熱交換器２２を出た水は、第１三方弁８２によって、大容量タンク１３２および小容量タンク１３１のいずれか一方に送られる。なお、本実施形態では、小容量タンク１３１と大容量タンク１３２との容積比が１：９乃至２：８に設定され、総容積は４２０リットルである。但し、容積比、総容積はそれに限定されるものではない。
【００５１】
湯循環回路１４０は、大容量タンク１３２と、追焚熱交換器１４１内の第１湯管１４１ａと、第１湯循環ポンプ１４２とが、第１湯配管１４３によって環状に接続されている。追焚循環回路１５０は、追焚熱交換器１４１の第２湯管１４１ｂと、第２湯循環ポンプ１５２と、風呂（図示せず）とが、第２湯配管１５３によって環状に接続されている。
【００５２】
なお、本実施形態では、追焚熱交換器１４１は風呂の湯との間で熱交換を行う設定であるが、これに限定されることはなく、例えば、床暖房用の湯など、他の外部負荷との間で熱交換を行うように設定されることもある。
【００５３】
給水管１６１は、水源（図止せず）から出て大容量タンク１３２の底部に接続されている。給湯管１７１は、大容量タンク１３２の頭部および小容量タンク１３１の頭部から出て第２三方弁８３に接続されて一本となり給湯混合弁８１に入る。給水支管１６１ａは、給水管１６１の途中から分岐して給湯混合弁８１に接続されている。
【００５４】
（水および湯の循環）
水源の水は、給水管１６１を通って大容量タンク１３２の底部から内部に供給される。大容量タンク１３２内の水は、水循環ポンプ１３３によってヒートポンプユニット２へ送られ、水熱交換器２２で加熱される。加熱された水は、第１三方弁８２を経て小容量タンク１３１へ送られて湯として貯えられる。但し、小容量タンク１３１が所定温度の湯で満たされた場合は、第１三方弁８２によって流路が切り替えられ、加熱された水は大容量タンク１３２に送られる。小容量タンク１３１内の湯量が減ると大容量タンク１３２から湯が補充される。したがって、小容量タンク１３１内には常に高温の湯が貯められる。
【００５５】
大容量タンク１３２内の湯は、湯循環回路１４０内を循環し、追焚熱交換器１４１において追焚循環回路１５０を循環する風呂湯との間で熱交換を行う。
【００５６】
使用者が使う湯は、大容量タンク１３２と小容量タンク１３１のいずれか一方から第２三方弁８３を経由して供給される。すなわち、第２三方弁８３が給湯負荷、給湯温度に応じて小容量タンク１３１および大容量タンク１３２のいずれか一方を選択する。
【００５７】
＜大容量タンク、小容量タンクの配置＞
次に、第２実施形態を用いて各タンクの配置方法について説明する。なお、この配置方法は、第２実施形態に限らず第１実施形態においても適用できる。
【００５８】
図３（ａ）は、大容量タンクと小容量タンクとの容量比を９：１とした場合の鉛直上方から観た各タンクの配置図である。図３（ｂ）は、大容量タンクと小容量タンクとの容量比を８：２とした場合の鉛直上方から観た各タンクの配置図である。
【００５９】
図３（ａ）、（ｂ）に示すように、大容量タンク１３２が貯湯装置１０３のケース１９０のコーナー寄りに配置されることによって、大容量タンク１３２とコーナーとの間に無効空間が形成される。そして、この無効空間に、小容量タンク１３１が配置されている。そして、小容量タンク１３１と大容量タンク１３２とケース１９０とによって形成された無効空間に、各種機器類１９５が配置される。
【００６０】
図４（ａ）は、大容量タンクを角柱状にした場合の鉛直上方から見た各タンクの配置図である。図４（ｂ）は、小容量タンクを角柱状にした場合の鉛直上方から見た各タンクの配置図である。
【００６１】
図４（ａ），（ｂ）に示すように、小容量タンク１３１又は大容量タンク１３２が角柱状に形成されたことによって、そのタンクのコーナーとケース１９０のコーナーとの接近が可能となる。これによって、無効空間が削減されケース１９０の省スペース化が図られる。また、ケース１９０の大きさを変えずに、従来の無効空間に相当する容積分だけタンクをさらに大容量化することも可能である。
【００６２】
また、本実施形態では、小容量タンク１３１又は大容量タンク１３２のいずれか一方が角柱状に形成されているが、小容量タンク１３１および大容量タンク１３２の両方が角柱状に形成されてもよい。そして、ケース１９０内のコーナーと、小容量タンク１３１および大容量タンク１３２のコーナーとを可能な限り近づけることによって、無効空間がさらに減少する。
【００６３】
なお、小容量タンク１３１および大容量タンク１３２の形状は、本実施形態に示した形状に限定されるものではなく、発明の要旨を逸脱しない範囲で変更可能である。
【００６４】
＜第２実施形態の特徴＞
（１）
この貯湯式給湯機１０１では、水源側の水が、大容量タンク１３２を経由してヒートポンプユニット２に入り、そこで沸き上げられた湯は、小容量タンク１３１に入る。内容積の小さい小容量タンク１３１に湯が補充されると、すぐに高温の湯で満たされ、湯切れが防止される。
【００６５】
（２）
この貯湯式給湯機１０１では、沸き上げられた湯を小容量タンク１３１および大容量タンク１３２のいずれか一方へ流入させる第１三方弁８２と、給湯時に、小容量タンク１３１および大容量タンク１３２のいずれか一方から湯を取出すために流路を切り替える第２三方弁８３とを備えている。このため、ユーザーの必要とする給湯状況に合わせて各タンク内の貯湯量が調節され、給湯負荷、給湯温度に応じてタンクが選択されるので、効率良く給湯が行われる。
【００６６】
（３）
この貯湯式給湯機１０１では、熱容量の大きい大容量タンク１３２側を追焚の熱源とするので、追焚による小容量タンク１３１側への熱的影響がなく小容量タンク１３１内の温度は安定する。
【００６７】
（４）
この貯湯式給湯機１０１では、ケース１９０内の１つのコーナーと大容量タンク１３２とで形成される空間内に、小容量タンク１３１が配置される。また、ケース１９０と小容量タンク１３１と大容量タンク１３２とで形成される空間内に各種機器類１９５が配置される。このように、空間が有効に使用されるので省スペースである。
【００６８】
（５）
この貯湯式給湯機１０１では、小容量タンク１３１および大容量タンク１３２の少なくとも１つが角柱状に形成されており、ケース１９０内のコーナーとタンクのコーナーとを可能な限り近づけることによって、無効空間が小さくなる。このため、ケースの小型化や、タンク側を大きめにすることが可能となる。
【産業上の利用可能性】
【００６９】
以上のように、本発明は、貯湯装置のタンク内に安定した温度の湯を常に貯えることができるので、ヒートポンプ式給湯機など全ての貯湯式給湯機に有用である。
【図面の簡単な説明】
【００７０】
【図１】本発明の第１実施形態に係る貯湯式給湯機のシステム。
【図２】本発明の第２実施形態に係る貯湯式給湯機のシステム。
【図３】（ａ）大容量タンクと小容量タンクとの容量比を９：１とした場合の鉛直上方から観た各タンクの配置図。（ｂ）大容量タンクと小容量タンクとの容量比を８：２とした場合の鉛直上方から観た各タンクの配置図。
【図４】（ａ）大容量タンクを角柱状にした場合の鉛直上方から見た各タンクの配置図。（ｂ）小容量タンクを角柱状にした場合の鉛直上方から見た各タンクの配置図。
【符号の説明】
【００７１】
１，１０１  貯湯式給湯機
２  ヒートポンプユニット
３１，１３１  小容量タンク（第１タンク）
３２，１３２  大容量タンク（第２タンク）
４１，１４１  追焚熱交換器
８２  第１三方弁
８３  第２三方弁
１９０  ケース
【図１】
2008116065.tif 000003
【図２】
2008116065.tif 000004
【図３】
2008116065.tif 000005
【図４】
2008116065.tif 000006